(57)【要約】【課題】挿入紙情報を入力する負担を軽減する。【解決手段】画像形成装置１０２は、用紙に画像を形成する画像形成部２０１と、画像形成部によって画像が形成された用紙の前又は後ろに挿入される挿入紙が載置される複数のトレイ２０８、２０９と、複数のトレイのうち挿入紙が載置されていないトレイに挿入紙が載置されたときに、トレイに載置された挿入紙のサイズを設定する設定画面を表示する表示手段３１７と、複数のトレイのうちの印刷ジョブによって指定された第一のトレイ２０８に挿入紙が載置されていない場合に複数のトレイのうちの第二のトレイ２０９から挿入紙を給送する自動給送切替が可能な場合に、印刷ジョブの実行中に挿入紙が載置されていない第二のトレイに挿入紙が載置されたときに、表示手段に設定画面を表示させずに第一のトレイに設定された挿入紙のサイズを第二のトレイに載置された挿入紙のサイズとして設定する制御部３１６と、を備える。【選択図】図１３
2020146872.tif 000002
【特許請求の範囲】
【請求項１】
用紙に画像を形成する画像形成部と、
前記画像形成部によって前記画像が形成された前記用紙の前又は後ろに挿入される挿入紙が載置される複数のトレイと、
前記複数のトレイのうち前記挿入紙が載置されていないトレイに前記挿入紙が載置されたときに、前記トレイに載置された前記挿入紙のサイズを設定する設定画面を表示する表示手段と、
前記複数のトレイのうちの印刷ジョブによって指定された第一のトレイに前記挿入紙が載置されていない場合に前記複数のトレイのうちの第二のトレイから前記挿入紙を給送する自動給送切替が可能な場合に、前記印刷ジョブの実行中に前記挿入紙が載置されていない前記第二のトレイに前記挿入紙が載置されたときに、前記表示手段に前記設定画面を表示させずに前記第一のトレイに設定された前記挿入紙の前記サイズを前記第二のトレイに載置された前記挿入紙のサイズとして設定する制御部と、
を備える画像形成装置。
【請求項２】
用紙に画像を形成する画像形成部と、
前記画像形成部によって前記画像が形成された前記用紙の前又は後ろに挿入される挿入紙が載置される複数のトレイと、
前記複数のトレイのうち前記挿入紙が載置されていないトレイに前記挿入紙が載置されたときに、前記トレイに載置された前記挿入紙のサイズを設定する設定画面を表示する表示手段と、
前記複数のトレイのうちの印刷ジョブによって指定された第一のトレイに前記挿入紙が載置されていない場合に前記複数のトレイのうちの第二のトレイから前記挿入紙を給送する自動給送切替が可能な場合に、前記印刷ジョブの実行中に前記挿入紙が載置されていない前記第一のトレイに前記挿入紙が載置されたときに、前記表示手段に前記設定画面を表示させずに前記第一のトレイに設定された前記挿入紙の前記サイズを前記第一のトレイに載置された前記挿入紙のサイズとして設定する制御部と、
を備えることを特徴とする画像形成装置。
【請求項３】
前記複数のトレイに載置された前記挿入紙の前記サイズを検知する検知手段を備え、
前記制御部は、前記自動給送切替が可能な場合であっても、前記挿入紙が載置されていない前記トレイに前記挿入紙が載置されたときに前記検知手段によって検知された前記サイズが前記設定画面によって設定された前記サイズと異なるときは、前記表示手段に前記設定画面を表示させることを特徴とする請求項１又は２に記載の画像形成装置。
【請求項４】
前記自動給送切替を行うか否かを設定する設定手段を備えることを特徴とする請求項１乃至３のいずれか一項に記載の画像形成装置。
【請求項５】
前記自動給送切替を行うことが可能か否かを判断する判断手段を備えることを特徴とする請求項１乃至３のいずれか一項に記載の画像形成装置。
【請求項６】
前記印刷ジョブによって二つ以上のトレイが指定されている場合、前記判断手段は、前記自動給送切替を行うことが可能ではないと判断することを特徴とする請求項５に記載の画像形成装置。
【発明の詳細な説明】
【技術分野】
【０００１】
本発明は、挿入紙が載置される複数のトレイを有する画像形成装置に関する。
【背景技術】
【０００２】
ユーザが任意のアプリケーションで生成したドキュメントデータを、プリンタドライバを介して、印刷物を生成することが可能な印刷装置が知られている。さらに、印刷装置に接続されているインサータから、予め印刷されたプレプリント紙（以下、挿入紙という）を給送し、印刷物中に挿入紙を挿入する挿入機能が知られている。挿入機能としては、挿入紙を本文（印刷物）の先頭に挿入する表紙機能、本文（印刷物）の最後に挿入する裏表紙機能及び本文（印刷物）の間に挿入する合紙機能が知られている。
【０００３】
また、インサータは、トレイ上に多くの挿入紙を載置できない構造を有するものが多い。そのため、大量の挿入紙を必要とする印刷物を生成する場合、トレイ上の挿入紙がすぐに無くなることがある。その場合、トレイ上の挿入紙が無くなるたびにユーザがトレイ上に挿入紙を補給する必要があり、ワークフローとしての効率がよくない。
【０００４】
そこで、特許文献１は、インサータに設けられた複数のトレイを自動的に切り替える自動給送切替機能を印刷装置に設けることによって、ワークフローの改善を図っている。例えば、プリンタドライバによって指定された第一のトレイに挿入紙が無い場合であっても第二のトレイに挿入紙がある場合、自動給送切替機能によって第二のトレイから挿入紙を給送することができる。
【先行技術文献】
【特許文献】
【０００５】
【特許文献１】特開２００８−２３９２９６号公報
【発明の概要】
【発明が解決しようとする課題】
【０００６】
ところで、ユーザがインサータのトレイへ挿入紙を載置したときに、ユーザがその挿入紙の挿入紙情報を入力するための入力画面が表示部に表示される。そして、挿入紙情報が設定されていない状態では、インサータの給送動作が禁止される。一方、自動給送切替動作は、切り替え先のトレイに切り替え元のトレイと同じ挿入紙が載置されているときのみに実行される。しかし、自動給送切替動作が可能なジョブの実行中にユーザが挿入紙を補給するためにトレイに挿入紙を載置した場合であっても、挿入紙情報の入力画面が表示部に表示される。ユーザは、入力画面に挿入紙情報を入力することを要求されるので、余計な手間をかけさせられる。また、ユーザが挿入紙情報の入力を間違えた場合に、自動給送切替動作が実行されずにジョブが中断してしまう。
【０００７】
そこで、本発明は、自動給送切替が可能な場合に印刷ジョブの実行中にユーザが挿入紙をトレイに載置するたびに挿入紙情報の設定を要求されることがない画像形成装置を提供する。
【課題を解決するための手段】
【０００８】
上記課題を解決するために、本発明の一実施例による画像形成装置は、
用紙に画像を形成する画像形成部と、
前記画像形成部によって前記画像が形成された前記用紙の前又は後ろに挿入される挿入紙が載置される複数のトレイと、
前記複数のトレイのうち前記挿入紙が載置されていないトレイに前記挿入紙が載置されたときに、前記トレイに載置された前記挿入紙のサイズを設定する設定画面を表示する表示手段と、
前記複数のトレイのうちの印刷ジョブによって指定された第一のトレイに前記挿入紙が載置されていない場合に前記複数のトレイのうちの第二のトレイから前記挿入紙を給送する自動給送切替が可能な場合に、前記印刷ジョブの実行中に前記挿入紙が載置されていない前記第二のトレイに前記挿入紙が載置されたときに、前記表示手段に前記設定画面を表示させずに前記第一のトレイに設定された前記挿入紙の前記サイズを前記第二のトレイに載置された前記挿入紙のサイズとして設定する制御部と、
を備える。
【発明の効果】
【０００９】
本発明によれば、自動給送切替が可能な場合に印刷ジョブの実行中にユーザが挿入紙をトレイに載置するたびに挿入紙情報の設定を要求されることがない。
【図面の簡単な説明】
【００１０】
【図１】印刷システムを示す図。
【図２】ＭＦＰを示す図。
【図３】データ処理システムのブロック図。
【図４】印刷システムの制御動作を示す流れ図。
【図５】プリンタドライバ処理を示す流れ図。
【図６】プリンタ処理を示す流れ図。
【図７】ページ生成処理を示す流れ図。
【図８】印刷処理を示す流れ図。
【図９】通常ページ処理を示す流れ図。
【図１０】挿入紙ページ処理を示す流れ図。
【図１１】１回目の挿入紙処理を示す流れ図。
【図１２】２回目以降の挿入紙処理を示す流れ図。
【図１３】挿入紙有無設定処理を示す流れ図。
【図１４】自動給送切替設定画面を示す図。
【図１５】挿入紙無し警告画面を示す図。
【図１６】印刷設定画面を示す図。
【図１７】挿入紙サイズ設定画面を示す図。
【図１８】不定形サイズ設定画面を示す図。
【図１９】挿入紙タイプ設定画面を示す図。
【図２０】第２実施形態における１回目の挿入紙処理を示す流れ図。
【図２１】第２実施形態における２回目以降の挿入紙処理を示す流れ図。
【図２２】第２実施形態における挿入紙有無設定処理を示す流れ図。
【発明を実施するための形態】
【００１１】
以下、添付図面を参照して、本発明を実施するための形態を説明する。まず、第１実施形態を説明する。
【実施例１】
【００１２】
〔第１実施形態〕
（ネットワーク構成）
まず、図１を用いて、印刷システム１００のネットワーク構成を説明する。図１は、印刷システム１００を示す図である。印刷システム１００は、外部機器としてのホストコンピュータ（以下、ＰＣという）１０１と、印刷装置としてのＭＦＰ１０２と、ＰＣ１０１とＭＦＰ１０２を電気的に接続するＬＡＮ、Ｗｉ−Ｆｉ等のネットワーク１０３を有する。ＰＣ１０１は、任意のアプリケーションを用いて文書データを作成し、プリンタドライバによって印刷データを作成する。ＭＦＰ１０２は、例えば、複写機にＦＡＸ機能及びプリンタ機能を付加した複合機（Multi‐Function Peripheral）である。ＭＦＰ１０２は、プリンタ機能として、例えば、電子写真方式の画像形成装置を含む。
【００１３】
（ＭＦＰ）
次に、図２を用いて、ＭＦＰ１０２を説明する。図２は、ＭＦＰ１０２を示す図である。ＭＦＰ１０２は、画像形成部としての本体２０１と、インサータ２０７と、後処理装置２１０とを有する。ＭＦＰ１０２の本体２０１には、第一の給送デッキ２０２、第二の給送デッキ２０３、第三の給送デッキ２０４及び第四の給送デッキ２０５が引き出し可能に設けられている。第一の給送デッキ２０２、第二の給送デッキ２０３、第三の給送デッキ２０４及び第四の給送デッキ２０５は、ＭＦＰ１０２によって画像が形成される記録媒体（以下、用紙という）を収容する複数の用紙給送部である。ＭＦＰ１０２の本体２０１の側部には、手差しトレイ２０６が設けられている。手差しトレイ２０６には、ＭＦＰ１０２によって印刷される用紙が載置される。ＭＦＰ１０２の上部には、原稿の画像を読み取る画像読取装置（イメージスキャナ）２１４と、画像読取装置２１４へ原稿を給送する自動原稿給送装置２１５が設けられている。
【００１４】
（インサータ）
インサータ２０７は、ＭＦＰ１０２の本体２０１に接続されている。インサータ２０７には、インサータ２０７へ挿入される挿入紙が載置される複数のトレイ（挿入紙給送部）が設けられている。本実施形態においては、インサータ２０７は、第一のトレイ２０８及び第二のトレイ２０９が設けられている。第一のトレイ２０８及び第二のトレイ２０９は、ＭＦＰ１０２によって画像が形成された（印刷された）用紙からなる印刷物に挿入される挿入紙が載置（積載）される。第一のトレイ２０８及び第二のトレイ２０９は、第一のトレイ２０８及び第二のトレイ２０９に挿入紙が載置されたか否かを検知する用紙センサ２１８、２１９がそれぞれ設けられている。また、第一のトレイ２０８及び第二のトレイ２０９は、第一のトレイ２０８及び第二のトレイ２０９に載置された挿入紙のサイズを検知する検知機構（検知手段）２２１及び２２２がそれぞれ設けられている。第一のトレイ２０８には、第一の給送手段としての第一の給送ローラ１０８が設けられている。第一の給送ローラ１０８は、第一のトレイ２０８に載置された挿入紙をインサータ２０７へ給送する。第二のトレイ２０９には、第二の給送手段としての第二の給送ローラ１０９が設けられている。第二の給送ローラ１０９は、第二のトレイ２０９に載置された挿入紙をインサータ２０７へ給送する。
【００１５】
（後処理装置）
フィニッシャー（以下、後処理装置という）２１０は、インサータ２０７に接続されている。後処理装置２１０には、ＭＦＰ１０２によって画像が形成された用紙（印刷物）とインサータ２０７によって挿入された挿入紙が排出される複数の排出トレイが設けられている。本実施形態においては、後処理装置２１０は、第一の排出トレイ２１１、第二の排出トレイ２１２及び第三の排出トレイ２１３が設けられている。
【００１６】
（データ処理システム）
次に、図３を用いて、ＰＣ１０１及びＭＦＰ１０２のデータ処理システム１１０を説明する。図３は、データ処理システム１１０のブロック図である。ＰＣ１０１は、プリンタドライバ３０３、記憶領域３０４及び通信インタフェイス（以下、Ｉ／Ｆという）３０５を有する。ドキュメントデータ３０２は、記憶領域３０４に保存される。ドキュメントデータ３０２は、ＰＣ１０１へインストールされた文書作成アプリケーションによって作成される。プリンタドライバ３０３は、ドキュメントデータ３０２からＰＤＬ（Page Description Language）データを作成する。ＰＤＬは、ＰＳ（PostScript）、ＰＣＬ（Printer Command Language）、ＬＩＰＳ（LBP Image Processing System）等のページ記述言語である。もちろん、ＰＤＬは、前述以外のページ記述言語であってもよい。記憶領域３０４は、ドキュメントデータ３０２及びドキュメントデータ３０２を作成するための文書作成アプリケーションを保存する。記憶領域３０４は、プリンタドライバ３０３を保存していてもよい。Ｉ／Ｆ３０５は、プリンタドライバ３０３によって作成されたＰＤＬデータ（印刷ジョブ）をＭＦＰ１０２へネットワーク１０３を介して送信する。
【００１７】
ＭＦＰ１０２は、Ｉ／Ｆ３０７、データ受信部３０８、インタプリタ３０９、レンダラ３１１、イメージデータ記憶部３１２、プリンタエンジン３１３及び画像読取装置２１４を有する。ＭＦＰ１０２は、更に、記憶部３１５、制御部３１６及びユーザインタフェイス（以下、ＵＩという）３１７を有する。Ｉ／Ｆ３０７は、ＰＣ１０１から送信されるＰＤＬデータを受け取る。データ受信部３０８は、Ｉ／Ｆ３０７を介してＰＤＬデータを受信し、保存する。インタプリタ３０９は、データ受信部３０８によって受信されたＰＤＬデータを解析する。インタプリタ３０９は、ＰＳ、ＰＣＬ、ＬＩＰＳ等のＰＤＬのフォーマットを解析できる。インタプリタ３０９は、ＰＳ、ＰＣＬ及びＬＩＰＳ以外のフォーマットを解析してもよい。制御部３１６は、インタプリタ３０９によって解析されたＰＤＬデータを中間データ３１０へ変換する。レンダラ３１１は、中間データ３１０を解析し、イメージデータへ変換する。イメージデータ記憶部３１２は、レンダラ３１１の処理結果として得られるイメージデータを保存する。プリンタエンジン３１３は、イメージデータ記憶部３１２に保存されているイメージデータをビデオデータへ変換して画像形成動作を実行する。
【００１８】
画像読取装置２１４は、原稿の画像を読み取る。画像読取装置２１４によって読み取られた画像は、イメージデータとしてイメージデータ記憶部３１２に保存される。記憶部３１５は、イメージデータ記憶部３１２に保存されているイメージデータを保存し、また、各種印刷の設定情報を保存する。制御部３１６は、各種処理を行なうためのプログラムを実行する。ＵＩ３１７は、ＭＦＰ１０２を操作するための操作画面を表示する。また、ＵＩ３１７は、ＭＦＰ１０２に設定された設定情報を示す表示画面を表示する。制御部３１６は、ＵＩ３１７の操作画面を介してユーザによって設定された設定値を記憶部３１５に保存する。
【００１９】
（印刷システムの制御動作）
次に、図４を用いて、印刷システム１００の制御動作を説明する。図４は、印刷システム１００の制御動作を示す流れ図である。印刷システム１００は、ＰＣ１０１とＭＦＰ１０２がネットワーク１０３で接続されている。ＰＣ１０１にインストールされた文書作成アプリケーションによって生成されたドキュメントデータ３０２は、プリンタドライバ３０３によってＰＤＬデータへ変換される。ＰＤＬデータは、Ｉ／Ｆ３０５、ネットワーク１０３及びＩ／Ｆ３０７を介してＭＦＰ１０２へ送信される。その後、制御部３１６は、給送手段として第一の給送デッキ２０２、第二の給送デッキ２０３、第三の給送デッキ２０４、第四の給送デッキ２０５及び手差しトレイ２０６のいずれかから用紙を給送する。ＭＦＰ１０２は、ＰＤＬデータから変換されたイメージデータに基づいて用紙に画像を形成する。また、制御部３１６は、インサータ２０７の第一のトレイ２０８又は第二のトレイ２０９から挿入紙を給送する。そして、制御部３１６は、用紙及び挿入紙を第一の排出トレイ２１１、第二の排出トレイ２１２又は第三の排出トレイ２１３へ排出する。
【００２０】
ステップＳ４０１（以下、「ステップ」を省略する）で、制御部３１６は、印刷システム１００の制御動作を開始する。Ｓ４０２で、制御部３１６は、インサータ２０７の第一のトレイ２０８と第二のトレイ２０９を自動的に切り替える自動給送切替（インサータＡＣＣ）を設定するための自動給送切替設定画面をＵＩ３１７に表示する。ユーザは、設定手段としてのＵＩ３１７に表示された自動給送切替設定画面から自動給送切替を行うか否かを設定する。
【００２１】
図１４は、自動給送切替設定画面１４０１を示す図である。自動給送切替設定画面１４０１は、自動給送切替タブ１４０２、ＯＮボタン１４０３、ＯＦＦボタン１４０４、ＯＫボタン１４０５及びキャンセルボタン１４０６を含む。自動給送切替タブ１４０２は、自動給送切替設定画面１４０１が選択されていることを示す。ＯＮボタン１４０３は、自動給送切替を行う場合にユーザによって選択される「ＯＮ」の選択肢を示す。ＯＦＦボタン１４０４は、自動給送切替を行わない場合にユーザによって選択される「ＯＦＦ」の選択肢を示す。図１４において、ＯＮボタン１４０３が選択されてグレイで表示され、ＯＦＦボタン１４０４が選択されずホワイトで表示されており、自動給送切替を行うＯＮ状態が示されている。ＯＫボタン１４０５は、自動給送切替設定画面１４０１における自動給送切替設定を確定させるための確定ボタンである。ユーザがＯＫボタン１４０５をタッチすると、自動給送切替設定画面１４０１における自動給送切替の設定が確定する。ユーザがキャンセルボタン１４０６をタッチすると、自動給送切替設定画面１４０１における自動給送切替の設定が取り消される。
【００２２】
自動給送切替設定画面１４０１において自動給送切替を行うＯＮ状態が設定された場合、インサータ２０７の第一のトレイ２０８と第二のトレイ２０９との間で自動給送切替が行われる。逆に、自動給送切替を行わないＯＦＦ状態が設定された場合、インサータ２０７の第一のトレイ２０８と第二のトレイ２０９との間で自動給送切替が行なわれない。なお、自動給送切替がＯＮ状態に設定された状態で、以下、本実施形態を説明する。
【００２３】
Ｓ４０３で、ＰＣ３０１は、プリンタドライバ処理を行う。プリンタドライバ処理において、ユーザは、ＰＣ３０１にインストールされた文書作成アプリケーションによってドキュメントデータ３０２を生成する。プリンタドライバ３０３は、ドキュメントデータ３０２からＰＤＬデータを生成する。さらに、プリンタドライバ３０３は、ＰＤＬデータに従って印刷が行われる際に使用される各種設定もあわせて行う。ＰＤＬデータは、Ｉ／Ｆ３０５、ネットワーク１０３及びＩ／Ｆ３０７を介してＭＦＰ１０２へ送信される。なお、Ｓ４０３で実行されるプリンタドライバ処理については、図５を用いて後述する。
【００２４】
Ｓ４０４で、ＭＦＰ１０２は、プリンタ処理を行う。プリンタ処理おいて、制御部３１６は、データ受信部３０８、インタプリタ３０９及びレンダラ３１１を制御し、ＰＤＬデータを受信し、ＰＤＬデータをイメージデータへ変換する。そして、制御部３１６は、プリンタエンジン３１３を制御し、イメージデータをビデオデータへ変換し、ビデオデータに基づいて用紙に画像を形成する。また、制御部３１６は、挿入紙の設定があるか否かを判断するためにＰＤＬデータを解析する。挿入紙の設定があれば、制御部３１６は、インサータ２０７から挿入紙を給送し、印刷物へ挿入する。なお、Ｓ４０４で実行されるプリンタ処理については、図６を用いて後述する。Ｓ４０５で、制御部３１６は、印刷システム１００の制御動作を終了する。
【００２５】
（プリンタドライバ処理）
次に、図５を用いて、図４のＳ４０３で実行されるプリンタドライバ処理を説明する。図５は、プリンタドライバ処理を示す流れ図である。まず、図１６を用いて、プリンタドライバ３０３によってＰＣ３０１の表示部に表示される印刷設定画面１６０１を説明する。図１６は、印刷設定画面１６０１を示す図である。印刷設定画面１６０１は、印刷設定タブ１６０２、用紙サイズ設定欄１６０３、用紙給送部設定欄１６０４、挿入紙設定欄１６０５、挿入場所設定欄１６０６、挿入紙給送部設定欄１６０７及び印刷設定欄１６０８を含む。印刷設定タブ１６０２は、ＰＣ３０１の表示部に印刷設定画面１６０１が表示されていることを示す。用紙サイズ設定欄１６０３は、本文の用紙サイズを設定するために用いられる。図１６においては、「原稿サイズ」が設定されている。「原稿サイズ」の他に「Ａ４サイズ」、「Ａ３サイズ」等のＭＦＰ１０２によって給送可能な用紙サイズが設定可能である。
【００２６】
用紙給送部設定欄１６０４は、本文の用紙を給送する給送部を設定するために用いられる。図１６においては、「第一の給送デッキ２０２」が設定されている。「第一の給送デッキ２０２」の他に「第二の給送デッキ２０３」、「第三の給送デッキ２０４」等のＭＦＰ１０２によって用紙を給送可能な給送部が設定可能である。挿入紙設定欄１６０５は、挿入紙の種類を設定するために用いられる。図１６においては、「合紙」が設定されている。「合紙」の他に「表紙」、「裏表紙」等のインサータ２０７又はＭＦＰ１０２によって挿入可能な挿入紙の種類が設定可能である。挿入場所設定欄１６０６は、挿入紙設定欄１６０５によって設定された挿入紙の挿入場所を入力するために用いられる。図１６においては、「３,７,９」の３か所が設定されている。「３,７,９」は、本文の３ページ目の前、７ページ目の前及び９ページ目の前に挿入紙を挿入することを示している。なお、ユーザは、ＰＣ１０１に装備されているキーボード（不図示）を使って挿入場所設定欄１６０６に挿入場所を入力することができる。
【００２７】
挿入紙給送部設定欄１６０７は、挿入紙の給送部を設定するために用いられる。図１６においては、「第一のトレイ２０８」が設定されている。「第一のトレイ２０８」の他に「第二のトレイ２０９」等のＭＦＰ１０２に接続されているインサータ２０７によって給送可能な給送部又は「第二の給送デッキ２０３」、「第三の給送デッキ２０４」等のＭＦＰ１０２によって給送可能な給送部が設定可能である。印刷設定欄１６０８は、挿入紙の印刷を設定するために用いられる。図１６においては、「印刷しない」が設定されている。「印刷しない」の他にも「印刷する」が設定可能である。なお、インサータ２０７から挿入紙を給送する場合は、挿入紙に印刷することができないので、「印刷しない」しか設定できない。なお、ユーザは、用紙サイズ設定欄１６０３、用紙給送部設定欄１６０４、挿入紙設定欄１６０５、挿入紙給送部設定欄１６０７及び印刷設定欄１６０８のそれぞれの右側の上矢印ボタン又は下矢印ボタンをタッチすることによって、設定を変更することができる。
【００２８】
Ｓ５０１で、プリンタドライバ処理を開始する。Ｓ５０２で、ユーザは、文書作成アプリケーションによってドキュメントデータ３０２を生成する。なお、本実施例において、ドキュメントデータ３０２のサイズは、「Ａ４」であるが、ドキュメントデータ３０２のサイズは、Ｂ５、Ａ３、ＬＴＲ（レターサイズ）であってもよい。Ｓ５０３で、ユーザは、本文設定を行う。本文設定において、ユーザは、プリンタドライバ３０３によってＰＣ３０１の表示部に表示された印刷設定画面１６０１における本文の用紙サイズ設定欄１６０３から用紙サイズを設定し、用紙給送部設定欄１６０４から用紙を給送する給送部を設定する。本実施例では、用紙サイズ設定欄１６０３に「原稿サイズ」が設定されており、用紙給送部設定欄１６０４に「第一の給送デッキ２０２」が設定されている。なお、「原稿サイズ」は、ドキュメントデータ３０２のページのサイズを示しており、本実施例では「Ａ４」サイズが設定されている。これにより、ＭＦＰ１０２の画像形成部としてのプリンタエンジン３１３が印刷動作を実行する際に、Ａ４サイズの用紙が第一の給送デッキ２０２からプリンタエンジン３１３へ給送されることが設定される。
【００２９】
Ｓ５０４で、ユーザは、挿入紙設定を行う。挿入紙設定において、ユーザは、印刷設定画面１６０１における挿入紙設定欄１６０５から挿入紙の種類を設定し、挿入場所設定欄１６０６から挿入紙の挿入場所（挿入位置）を設定し、挿入紙給送部設定欄１６０７から挿入紙を給送する給送部を設定する。また、ユーザは、印刷設定欄１６０８から、挿入紙に画像を形成するか否かを設定する。図１６に示す例では、挿入紙設定欄１６０５に「合紙」が設定され、挿入場所設定欄１６０６に「３,７,９」が設定され、挿入紙給送部設定欄１６０７に「第一のトレイ２０８」が設定され、印刷設定欄１６０８に「印刷しない」が設定されている。これにより、インサータ２０７の第一のトレイ２０８から挿入紙として合紙が給送され、本文の３ページ目の前、７ページ目の前、及び９ページ目の前に合紙がそれぞれ挿入されることが設定される。
【００３０】
Ｓ５０５で、プリンタドライバ３０３は、ドキュメントデータ３０２をＰＤＬデータへ変換する。また、プリンタドライバ３０３は、Ｓ５０３の本文設定によって設定された情報及びＳ５０４の挿入紙設定によって設定された情報を、ＰＤＬデータに付加する。Ｓ５０６で、プリンタドライバ３０３は、Ｉ／Ｆ３０５、ネットワーク１０３及びＩ／Ｆ３０７を介してＭＦＰ１０２へＰＤＬデータを送信する。Ｓ５０７で、制御部３１６は、プリンタドライバ処理を終了する。
【００３１】
（プリンタ処理）
次に、図６を用いて、図４のＳ４０４で実行されるプリンタ処理を説明する。図６は、プリンタ処理を示す流れ図である。Ｓ６０１で、制御部３１６は、プリンタ処理を開始する。Ｓ６０２で、制御部３１６は、ページ生成処理を行う。ページ生成処理において、ＰＣ１０１から送信されたＰＤＬデータは、イメージデータへ変換される。この際に、制御部３１６は、ＰＤＬデータの総ページ数Ｐ＿ＭＡＸ（変数）を記憶部３１５に保存する。なお、ページ生成処理についての詳細は、図７を用いて後述する。Ｓ６０３で、制御部３１６は、印刷処理を行う。印刷処理において、制御部３１６は、プリンタエンジン３１３を制御し、Ｓ６０２で生成されたイメージデータをビデオデータへ変換する。プリンタエンジン３１３は、ビデオデータに従って用紙に画像を形成する。画像が形成された用紙は、挿入紙がある場合は挿入紙と共に、後処理が必要な場合は後処理が施されて、第一の排出トレイ２１１、第二の排出トレイ２１２又は第三の排出トレイ２１３へ排出される。なお、印刷処理についての詳細は、図８を用いて後述する。Ｓ６０４で、制御部３１６は、プリンタ処理を終了する。
【００３２】
（ページ生成処理）
次に、図７を用いて、図６のＳ６０２で実行されるページ生成処理を説明する。図７は、ページ生成処理を示す流れ図である。Ｓ７０１で、制御部３１６は、ページ生成処理を開始する。Ｓ７０２で、データ受信部３０８は、ＰＣ１０１にインストールされた文書作成アプリケーションによって生成されたドキュメントデータ３０２からプリンタドライバ３０３によって生成されたＰＤＬデータを受信する。Ｓ７０３で、インタプリタ３０９は、データ受信部３０８から受信したＰＤＬデータを解析する。
【００３３】
Ｓ７０４で、制御部３１６は、インタプリタ３０９によって解析されたＰＤＬデータから中間データ３１０を生成する。中間データ３１０は、「ビットマップ」、「ランレングス」、「台形」、「ボックス」及び「高速境界符合化されたビットマップ」等の描画オブジェクトと背景パターン、及び、それらをラスタメモリ（不図示）に描画する際の描画論理の総称を指す。また、制御部３１６は、Ｓ５０３で設定された本文の用紙サイズや用紙給送部の情報とＳ５０４で設定された挿入紙の種類、挿入場所、挿入紙給送部及び印刷設定の情報がＰＤＬデータに付加されている場合に、それらの情報を記憶部３１５に保存する。本実施例の場合、本文の用紙サイズとして「Ａ４」及び用紙給送部として「第一の給送デッキ２０２」の用紙情報が記憶部３１５に保存される。また、挿入紙の種類として「合紙」、挿入紙の挿入場所として「本文の３ページ目の前、７ページ目の前、９ページ目の前」、挿入紙給送部として「第一のトレイ２０８」及び挿入紙の印刷設定として「印刷しない」の挿入紙情報が記憶部３１５に保存される。また、制御部３１６は、ＰＤＬデータの総ページ数Ｐ＿ＭＡＸを算出し、記憶部３１５に保存する。
【００３４】
Ｓ７０５で、制御部３１６は、レンダラ３１１へ、ラスタイメージプロセッサ（以下、ＲＩＰという）によって中間データ３１０を処理するように指示する。レンダラ３１１は、ＲＩＰによって中間データ３１０をイメージデータへ変換し、イメージデータをイメージデータ記憶部３１２に保存する。Ｓ７０６で、制御部３１６は、ページ生成処理を終了する。
【００３５】
（印刷処理）
次に、図８を用いて、図６のＳ６０３で実行される印刷処理を説明する。図８は、印刷処理を示す流れ図である。Ｓ８０１で、制御部３１６は、印刷処理を開始する。Ｓ８０２で、制御部３１６は、処理中のページ数を示すパラメータＰをＰ＝１に初期化する。なお、パラメータＰは、１以上（Ｐ≧１）を満たす整数値である。Ｓ８０３で、制御部３１６は、パラメータＰが総ページ数Ｐ＿ＭＡＸより大きいか否かを判断する。なお、総ページ数Ｐ＿ＭＡＸは、Ｓ７０４で記憶部３１５に保存されている。制御部３１６は、記憶部３１５から総ページ数Ｐ＿ＭＡＸを読み出し、パラメータＰと比較する。パラメータＰが総ページ数Ｐ＿ＭＡＸ以下である場合（Ｓ８０３でＮＯ）、制御部３１６は、まだ印刷処理可能なページがあると判断し、処理をＳ８０４へ進める。パラメータＰが総ページ数Ｐ＿ＭＡＸより大きい場合（Ｓ８０３でＹＥＳ）、制御部３１６は、印刷処理可能なページがないと判断し、印刷処理を終了する（Ｓ８０９）。
【００３６】
Ｓ８０４で、制御部３１６は、パラメータＰに対応するページのページ情報を記憶部３１５から読み出す。Ｓ８０５で、制御部３１６は、記憶部３１５から読み出したページ情報を解析し、当該ページが挿入紙であるか否かを判断する。当該ページが挿入紙か否かは、記憶部３１５に保存されている挿入紙の種類を読み出すことによって判断する。制御部３１６が当該ページは挿入紙でないと判断した場合（Ｓ８０５でＮＯ）、制御部３１６は、処理をＳ８０６へ進める。制御部３１６が当該ページは挿入紙であると判断した場合（Ｓ８０５でＹＥＳ）、制御部３１６は、処理をＳ８０７へ進める。
【００３７】
Ｓ８０６で、制御部３１６は、通常ページ処理を実行する。通常ページ処理において、制御部３１６は、Ｓ６０２で生成されたイメージデータをビデオデータへ変換し、ビデオデータをプリンタエンジン３１３へ転送する。プリンタエンジン３１３は、ビデオデータに従って用紙に画像を形成し、排出処理を行う。なお、通常ページ処理についての詳細は、図９を用いて後述する。Ｓ８０７で、制御部３１６は、挿入紙ページ処理を実行する。挿入紙ページ処理において、制御部３１６は、インサータ２０７から給送される合紙を本文に挿入する処理を実行する。なお、挿入紙ページ処理についての詳細は、図１０を用いて後述する。Ｓ８０８で、制御部３１６は、処理中のページを示すパラメータＰを次のページに変更し（Ｐ＝Ｐ＋１）、処理をＳ８０３へ戻す。パラメータＰが総ページ数Ｐ＿ＭＡＸより大きい場合（Ｓ８０３でＹＥＳ）、制御部３１６は、印刷処理を終了する（Ｓ８０９）。
【００３８】
（通常ページ処理）
次に、図９を用いて、図８のＳ８０６で実行される通常ページ処理を説明する。図９は、通常ページ処理を示す流れ図である。Ｓ９０１で、制御部３１６は、通常ページ処理を開始する。Ｓ９０２で、制御部３１６は、イメージデータ記憶部３１２から処理中のページのイメージデータを読み出す。Ｓ９０３で、制御部３１６は、第一の給送デッキ２０２から用紙を給送する。Ｓ９０４で、制御部３１６は、イメージデータ記憶部３１２に保存されているイメージデータをビデオデータへ変換し、プリンタエンジン３１３へ転送する。Ｓ９０５で、制御部３１６は、第一の給送デッキ２０２から給送された用紙に、ビデオデータに従って印刷する。Ｓ９０６で、制御部３１６は、通常ページ処理を終了する。
【００３９】
（挿入紙ページ処理）
次に、図１０を用いて、図８のＳ８０７で実行される挿入紙ページ処理を説明する。図１０は、挿入紙ページ処理を示す流れ図である。Ｓ１００１で、制御部３１６は、挿入紙ページ処理を開始する。Ｓ１００２で、制御部３１６は、当該ページが１回目の挿入紙ページであるか否かを判断する。当該ページが１回目の挿入紙ページであるか否かの判断は、制御部３１６が記憶部３１５から挿入紙の挿入場所を読み出すことによって行われる。当該ページが１回目の挿入紙ページであると判断された場合（Ｓ１００２でＹＥＳ）、制御部３１６は、処理をＳ１００３へ進める。当該ページが２回目以降の挿入紙ページであると判断された場合（Ｓ１００２でＮＯ）、制御部３１６は、処理をＳ１００４へ進める。Ｓ１００３で、制御部３１６は、１回目の挿入紙処理を実行する。なお、１回目の挿入紙処理についての詳細は、図１１を用いて後述する。Ｓ１００４で、制御部３１６は、２回目以降の挿入紙処理を実行する。なお、２回目以降の挿入紙処理についての詳細は、図１２の流れ図を用いて行う。Ｓ１００５で、制御部３１６は、挿入紙ページ処理を終了する。
【００４０】
（１回目の挿入紙処理）
次に、図１１を用いて、図１０のＳ１００３で実行される１回目の挿入紙処理を説明する。図１１は、１回目の挿入紙処理を示す流れ図である。Ｓ１１０１で、制御部３１６は、１回目の挿入紙処理を開始する。Ｓ１１０２で、制御部３１６は、記憶部３１５から挿入紙情報を読み出す。なお、ここでは、制御部３１６によって記憶部３１５から読み出された挿入紙情報が挿入紙給送部の指定のみを含み、挿入紙サイズ設定及び挿入紙タイプ設定を含んでいない場合を説明する。制御部３１６は、挿入紙給送部の指定を読み出し、指定された挿入紙給送部の挿入紙有無情報に「挿入紙有り」が設定されているか否かを判断する。ここでは、挿入紙給送部として第一のトレイ２０８が指定されている場合を説明する。第一のトレイ２０８の挿入紙有無情報に「挿入紙有り」が設定されていると判断された場合（Ｓ１１０２でＹＥＳ）、制御部３１６は、処理をＳ１１０６へ進める。第一のトレイ２０８に「挿入紙有り」が設定されていないと判断された場合（Ｓ１１０２でＮＯ）、制御部３１６は、処理をＳ１１０３へ進める。なお、指定された挿入紙給送部としての第一のトレイ２０８に「挿入紙有り」が設定されているか否かの判断は、記憶部３１５に設定されている第一のトレイ２０８の挿入紙有無情報に基づいて制御部３１６によって行われる。記憶部３１５への挿入紙有無情報の設定処理の詳細は、図１３を用いて後述する。
【００４１】
Ｓ１１０３で、制御部３１６は、ＵＩ３１７に挿入紙無し警告画面１５０１を表示する。ここで、図１５を用いて、ＵＩ３１７に表示される挿入紙無し警告画面１５０１を説明する。図１５は、挿入紙無し警告画面１５０１を示す図である。挿入紙無し警告画面１５０１には、「第一のトレイに挿入紙がありません。」という警告文１５０２が表示される。なお、挿入紙の給送部として第一のトレイ２０８以外の例えば第二のトレイ２０９などの他の挿入紙給送部が指定された場合も、指定された挿入紙給送部に挿入紙が無いと判断されたときに挿入紙無し警告画面１５０１に警告文が表示される。
【００４２】
Ｓ１１０４で、制御部３１６は、第一のトレイ２０８に「挿入紙有り」が設定されているか否かを判断する。第一のトレイ２０８に挿入紙が載置されないと、第一のトレイ２０８に「挿入紙無し」が設定されたままである。第一のトレイ２０８に挿入紙が載置されると、第一のトレイ２０８に「挿入紙有り」が設定される。制御部３１６は、第一のトレイ２０８に「挿入紙有り」が設定されていないと判断した場合（Ｓ１１０４でＮＯ）、処理をＳ１１０４へ戻し、第一のトレイ２０８に「挿入紙有り」が設定されるまでＳ１１０４の判断を繰り返す。制御部３１６は、第一のトレイ２０８に挿入紙が載置されて「挿入紙有り」が設定されていると判断した場合（Ｓ１１０４でＹＥＳ）、処理をＳ１１０５へ進める。
【００４３】
Ｓ１１０５で、制御部３１６は、ＵＩ３１７に表示されている挿入紙無し警告画面１５０１を非表示にし、挿入紙無し警告を解除する。Ｓ１１０６で、制御部３１６は、ＵＩ３１７に挿入紙サイズ設定画面１７０１を表示し、ユーザによって入力される挿入紙情報を記憶部３１５に保存する。Ｓ１１０７で、制御部３１６は、挿入紙を現在給送する給送部（以下、カレント給送部という）を第一のトレイ２０８に設定し、カレント給送部情報を記憶部３１５に保存する。なお、カレント給送部情報は、この時点で初めて設定される。Ｓ１１０８で、制御部３１６は、カレント給送部としての第一のトレイ２０８から挿入紙を給送する。Ｓ１１０９で、制御部３１６は、１回目の挿入紙処理を終了する。
【００４４】
（２回目以降の挿入紙処理）
次に、図１２を用いて、図１０のＳ１００４で実行される２回目以降の挿入紙処理を説明する。図１２は、２回目以降の挿入紙処理を示す流れ図である。印刷ジョブの開始から１回目の挿入紙の給送後に、２回目以降の挿入紙の給送が行われる。Ｓ１２０１で、制御部３１６は、２回目以降の挿入紙処理を開始する。Ｓ１２０２で、制御部３１６は、自動給送切替（ＡＣＣ）がＯＮ状態に設定されているか否かを判断する。制御部３１６は、自動給送切替がＯＮ状態に設定されていると判断した場合（Ｓ１２０２でＹＥＳ）、処理をＳ１２０３へ進める。制御部３１６は、自動給送切替がＯＦＦ状態に設定されていると判断した場合（Ｓ１２０２でＮＯ）、処理をＳ１２１０へ進める。
【００４５】
Ｓ１２０３で、制御部３１６は、記憶部３１５からカレント給送部情報を読み出す。Ｓ１２０４で、制御部３１６は、カレント給送部情報からカレント給送部（ここでは、第一のトレイ２０８）を読み出し、カレント給送部に「挿入紙有り」が設定されているか否かを判断する。制御部３１６は、カレント給送部に「挿入紙無し」が設定されていると判断した場合（Ｓ１２０４でＮＯ）、処理をＳ１２０５へ進める。制御部３１６は、カレント給送部に「挿入紙有り」が設定されていると判断した場合（Ｓ１２０４でＹＥＳ）、処理をＳ１２１４へ進める。
【００４６】
Ｓ１２０５で、制御部３１６は、自動給送切替可能な給送部が存在するか否かを判断する。ここで、自動給送切替可能な給送部が存在するか否かは、カレント給送部以外の他の給送部に「挿入紙有り」が設定されており且つカレント給送部に載置された挿入紙と同じ種類の挿入紙が載置されているか否かに基づいて制御部３１６によって判断される。制御部３１６は、自動給送切替可能な給送部が存在すると判断した場合（Ｓ１２０５でＹＥＳ）、処理をＳ１２０９へ進める。制御部３１６は、自動給送切替可能な給送部が存在していないと判断した場合（Ｓ１２０５でＮＯ）、処理をＳ１２０６へ進める。
【００４７】
Ｓ１２０６で、制御部３１６は、ＵＩ３１７に挿入紙無し警告画面１５０１を表示する。Ｓ１２０７で、制御部３１６は、カレント給送部に「挿入紙有り」が設定されているか否かを判断する。制御部３１６は、カレント給送部に「挿入紙無し」が設定されている即ちカレント給送部に「挿入紙有り」が設定されていないと判断した場合（Ｓ１２０７でＮＯ）、処理をＳ１２０７へ戻す。制御部３１６は、カレント給送部に「挿入紙有り」が設定されるまでＳ１２０７の判断を繰り返す。制御部３１６は、カレント給送部に「挿入紙有り」が設定されたと判断した場合（Ｓ１２０７でＹＥＳ）、処理をＳ１２０８へ進める。
【００４８】
Ｓ１２０８で、制御部３１６は、ＵＩ３１７に表示されている挿入紙無し警告画面１５０１を非表示にし、挿入紙無し警告を解除する。Ｓ１２０９で、制御部３１６は、カレント給送部を、同じ種類の挿入紙が載置されている他の給送部へ変更する。カレント給送部の変更は、自動給送切替によって行われる。制御部３１６は、変更後の給送部に基いてカレント給送部情報を変更し、変更したカレント給送部情報を記憶部３１５に保存する。Ｓ１２１４で、制御部３１６は、変更後のカレント給送部から挿入紙を給送する。
【００４９】
Ｓ１２１０で、制御部３１６は、カレント給送部に「挿入紙有り」が設定されているか否かを判断する。制御部３１６は、カレント給送部に「挿入紙無し」が設定されている即ちカレント給送部に「挿入紙有り」が設定されていないと判断した場合（Ｓ１２１０でＮＯ）、処理をＳ１２１１へ進める。制御部３１６は、カレント給送部に「挿入紙有り」が設定されていると判断した場合（Ｓ１２１０でＹＥＳ）、処理をＳ１２１４へ進める。
【００５０】
Ｓ１２１１で、制御部３１６は、ＵＩ３１７に挿入紙無し警告画面１５０１を表示する。Ｓ１２１２で、制御部３１６は、カレント給送部に「挿入紙有り」が設定されているか否かを判断する。制御部３１６は、カレント給送部に「挿入紙無し」が設定されている即ちカレント給送部に「挿入紙有り」が設定されていないと判断した場合（Ｓ１２１２でＮＯ）、処理をＳ１２１２へ戻す。制御部３１６は、カレント給送部に「挿入紙有り」が設定されるまでＳ１２１２の判断を繰り返す。制御部３１６は、カレント給送部に「挿入紙有り」が設定されていると判断した場合（Ｓ１２１２でＹＥＳ）、処理をＳ１２１３へ進める。
【００５１】
Ｓ１２１３で、制御部３１６は、ＵＩ３１７に表示されている挿入紙無し警告画面１５０１を非表示にし、挿入紙無し警告を解除する。Ｓ１２１４で、制御部３１６は、カレント給送部から挿入紙を給送する。これによって、画像が形成された用紙の前又は後ろに挿入紙が挿入される。Ｓ１２１５で、制御部３１６は、２回目以降の挿入紙処理を終了する。
【００５２】
（挿入紙有無情報の設定）
次に、図１３を用いて、挿入紙給送部に挿入紙が有るか否かを示す挿入紙有無情報を設定する挿入紙有無設定処理を説明する。図１３は、挿入紙有無設定処理を示す流れ図である。ここでは、第一のトレイ２０８の挿入紙有無設定処理を説明するが、第二のトレイ２０９についても同様に挿入紙有無設定処理が行われる。ＭＦＰ１０２の電源がＯＮされると（Ｓ１３０１）、制御部３１６は、挿入紙有無設定処理を開始する。挿入紙有無設定処理は、ＭＦＰ１０２の電源が入っている間は常に実行され、図８を用いて説明した印刷処理の実行中も並行して実行される。
【００５３】
Ｓ１３０２で、制御部３１６は、記憶部３１５に保存されている第一のトレイ２０８の挿入紙情報としての挿入紙サイズと挿入紙タイプをクリアし、挿入紙有無情報の設定を「挿入紙無し」へ更新する。Ｓ１３０３で、制御部３１６は、第一のトレイ２０８に挿入紙が載置されているか否かを判断する。第一のトレイ２０８に挿入紙が載置されているか否かは、第一のトレイ２０８に設けられた検知機構としての用紙センサ２１８の検知結果に基づいて制御部３１６によって判断される。制御部３１６は、第一のトレイ２０８に挿入紙が載置されていないと判断した場合（Ｓ１３０３でＮＯ）、第一のトレイ２０８に挿入紙が載置されるまでＳ１３０３の判断を繰り返す。制御部３１６は、第一のトレイ２０８に挿入紙が載置されていると判断した場合（Ｓ１３０３でＹＥＳ）、処理をＳ１３０４へ進める。
【００５４】
Ｓ１３０４で、制御部３１６は、ＭＦＰ１０２が印刷処理中であるか否かを判断する。印刷処理中の場合（Ｓ１３０４でＹＥＳ）、制御部３１６は、処理をＳ１３０５へ進める。印刷処理中でない場合（Ｓ１３０４でＮＯ）、制御部３１６は、処理をＳ１３１１へ進める。Ｓ１３０５で、制御部３１６は、自動給送切替（ＡＣＣ）がＯＮ状態に設定されているか否かを判断する。制御部３１６は、自動給送切替がＯＮ状態に設定されていると判断した場合（Ｓ１３０５でＹＥＳ）即ち自動給送切替が許可されている場合、処理をＳ１３０６へ進める。制御部３１６は、自動給送切替がＯＦＦ状態に設定されていると判断した場合（Ｓ１３０５でＮＯ）即ち自動給送切替が禁止されている場合、処理をＳ１３１１へ進める。
【００５５】
Ｓ１３０６で、制御部３１６は、記憶部３１５に保存されているカレント給送部の挿入紙サイズが第一のトレイ２０８に載置された挿入紙の挿入紙サイズと同じであるか否かを判断する。第一のトレイ２０８に載置された挿入紙の挿入紙サイズは、インサータ２０７に設けられた検知機構２２１を用いて制御部３１６によって検知される。記憶部３１５に保存されているカレント給送部の挿入紙サイズと第一のトレイ２０８に載置された挿入紙の挿入紙サイズが同じ場合（Ｓ１３０６でＹＥＳ）、制御部３１６は、処理をＳ１３０７へ進める。記憶部３１５に保存されている挿入紙サイズと載置された第一のトレイ２０８に載置された挿入紙の挿入紙サイズが異なる場合（Ｓ１３０６でＮＯ）、制御部３１６は、処理をＳ１３１１へ進める。
【００５６】
Ｓ１３０７で、制御部３１６は、記憶部３１５の第一のトレイ２０８の挿入紙情報としての挿入紙サイズと挿入紙タイプをカレント給送部の挿入紙情報としての挿入紙サイズと挿入紙タイプへ更新する。Ｓ１３０８で、制御部３１６は、記憶部３１５に設定されている第一のトレイ２０８の挿入紙有無情報を「挿入紙有り」へ更新する。前述したように、第二のトレイ２０９についても同様に挿入紙有無設定処理が行われる。記憶部３１５に保存されているカレント給送部の挿入紙サイズと第二のトレイ２０９に載置された挿入紙の挿入紙サイズが同じ場合、制御部３１６は、記憶部３１５の第二のトレイ２０９の挿入紙情報をカレント給送部の挿入紙情報へ更新する。そして、制御部３１６は、記憶部３１５に設定されている第二のトレイ２０９の挿入紙有無情報を「挿入紙有り」へ更新する。これにより、ユーザは、挿入紙サイズ及び挿入紙タイプを再設定することなく、ジョブを継続することが可能になる。たとえば、ユーザは、別の印刷装置によって印刷された挿入紙を第一のトレイ２０８にのみに載置してジョブを開始し、ジョブの途中で第二のトレイ２０９に別の印刷装置によって印刷された挿入紙を載置することがある。このように別の印刷装置によって印刷された挿入紙を随時第一のトレイ２０８及び第二のトレイ２０９へ補給する場合においても、ユーザは、挿入紙サイズ及び挿入紙タイプを再設定することなくジョブを継続させることが可能になる。
【００５７】
例えば、指定された第一のトレイ２０８から挿入紙を給送する印刷ジョブの実行中に、ユーザが第二のトレイ２０９上に挿入紙を載置すると第二のトレイ２０９の挿入紙有無情報が「挿入紙有り」から「挿入紙無し」へ変化する。自動給送切替を行うことが設定されている場合に第二のトレイ２０９の挿入紙有無情報が「挿入紙有り」から「挿入紙無し」へ変化したときに、ＵＩ３１７に挿入紙サイズ設定画面１７０１を表示しない。ＵＩ３１７に挿入紙サイズ設定画面１７０１を表示せずに第二のトレイ２０９の挿入紙サイズを第一のトレイ２０８の挿入紙サイズへ更新することができる。これによって、ユーザに挿入紙サイズを再設定させること無くジョブを継続することができる。
【００５８】
Ｓ１３０９で、制御部３１６は、第一のトレイ２０８に挿入紙が載置されているか否かを判断する。挿入紙が載置されているか否かは、用紙センサ２１８の検知結果に基づいて制御部３１６によって判断される。制御部３１６は、第一のトレイ２０８に挿入紙が載置されていると判断した場合（Ｓ１３０９でＹＥＳ）、第一のトレイ２０８上の挿入紙がなくなるまでＳ１３０９の判断を繰り返す。制御部３１６は、第一のトレイ２０８に挿入紙が載置されていないと判断した場合（Ｓ１３０９でＮＯ）、処理をＳ１３１０へ進める。Ｓ１３１０で、制御部３１６は、記憶部３１５に設定されている第一のトレイ２０８の挿入紙有無情報を「挿入紙無し」へ更新し、処理をＳ１３０３へ戻す。
【００５９】
Ｓ１３１１で、制御部３１６は、記憶部３１５に保存されている第一のトレイ２０８の挿入紙情報としての挿入紙サイズと挿入紙タイプをクリアし、処理をＳ１３１２へ進める。Ｓ１３１２で、制御部３１６は、表示手段としてのＵＩ３１７に挿入紙サイズ設定画面１７０１を表示する。ユーザは、第一のトレイ２０８に載置された挿入紙の挿入紙情報を、ＵＩ３１７によって設定する。挿入紙情報の設定については、後述する。第一のトレイ２０８に載置された挿入紙の挿入紙情報の設定が終了すると、制御部３１６は、処理をＳ１３０８へ進める。
【００６０】
（挿入紙情報の設定）
次に、図１７、図１８及び図１９を用いて第一のトレイ２０８に載置された挿入紙情報の設定を説明する。ここで、挿入紙情報は、挿入紙サイズ及び挿入紙タイプを含む。図１７は、挿入紙サイズ設定画面１７０１を示す図である。挿入紙サイズ設定画面１７０１は、例えば、自動給送切替が可能で無い場合に挿入紙有無情報が「挿入紙無し」から「挿入紙有り」へ変化したときに、ＵＩ３１７に表示される。ユーザは、挿入紙有無情報が「挿入紙無し」から「挿入紙有り」へ変化したトレイの挿入紙サイズを設定することができる。挿入紙サイズ設定画面１７０１は、ＭＦＰ１０２のＵＩ３１７の表示部に表示される。挿入紙サイズ設定画面１７０１は、定型サイズを選択するためのボタン群１７０２と、インチ系サイズを設定するモードに変更するためのボタン１７０３と、不定形サイズの挿入紙を設定するためのボタン１７０４と、「次へ」ボタン１７０５とを含む。ユーザは、ボタン群１７０２のいずれか一つにタッチすることによって所望の定型サイズを選択することができる。ボタン１７０３がユーザによってタッチされると、ボタン群１７０２は、インチ系の定型サイズを選択するためのボタン群へ変更される。ボタン１７０４がユーザによってタッチされると、不定形サイズを設定するための不定形サイズ設定画面１８０１がＵＩ３１７に表示される。不定形サイズ設定画面１８０１については、図１８を用いて後述する。挿入紙サイズの設定が終了したら、ユーザは、「次へ」ボタン１７０５にタッチする。「次へ」ボタン１７０５がユーザによってタッチされると、挿入紙タイプ設定画面１９０１がＵＩ３１７に表示される。挿入紙タイプ設定画面１９０１については、図１９を用いて後述する。
【００６１】
図１８は、不定形サイズ設定画面１８０１を示す図である。ユーザは、不定形サイズ設定画面１８０１によって挿入紙の任意のサイズを設定することができる。不定形サイズ設定画面１８０１は、テンキーで数値を入力するためのボタン群１８０４と、挿入紙の搬送方向サイズを表示する表示部１８０２と、挿入紙の搬送方向に垂直な垂直方向サイズを表示する表示部１８０３を含む。不定形サイズ設定画面１８０１は、更に、「キャンセル」ボタン１８０５と、「ＯＫ」ボタン１８０６を含む。表示部１８０２は、挿入紙の搬送方向サイズを表示する。ユーザが表示部１８０２にタッチすると、表示部１８０２は、ボタン群１８０４によって入力された値を表示することができる。表示部１８０３は、挿入紙の搬送方向に垂直な垂直方向サイズを表示する。ユーザが表示部１８０３にタッチすると、表示部１８０３は、ボタン群１８０４によって入力された値を表示することができる。ユーザが「キャンセル」ボタン１８０５にタッチすると、不定形サイズ設定画面１８０１が閉じられ、挿入紙サイズ設定画面１７０１が表示される。不定形サイズの設定が終了したら、ユーザは、「ＯＫ」ボタン１８０６にタッチする。「ＯＫ」ボタン１８０６がユーザによってタッチされると、不定形サイズ設定画面１８０１が閉じられ、挿入紙サイズ設定画面１７０１が表示される。
【００６２】
図１９は、挿入紙タイプ設定画面１９０１を示す図である。挿入紙タイプ設定画面１９０１は、挿入紙タイプを選択するためのボタン群１９０２と、「戻る」ボタン１９０３と、「ＯＫ」ボタン１９０４を含む。ユーザは、ボタン群１９０２のいずれか一つにタッチすることによって所望の挿入紙タイプを選択することができる。ユーザが「戻る」ボタン１９０３にタッチすると、挿入紙タイプ設定画面１９０１が閉じられ、挿入紙サイズ設定画面１７０１が表示される。挿入紙タイプの設定が終了したら、ユーザが「ＯＫ」ボタン１９０４にタッチすることによって、設定した挿入紙サイズと挿入紙タイプが記憶部３１５に保存され、挿入紙タイプ設定画面１９０１が閉じられる。
【００６３】
第１実施形態によれば、例えば、指定された第一のトレイ２０８から挿入紙を給送する印刷ジョブの実行中に、ユーザが第二のトレイ２０９上に挿入紙を載置すると第二のトレイ２０９の挿入紙有無情報が「挿入紙無し」から「挿入紙有り」へ変化する。第二のトレイ２０９の挿入紙有無情報が「挿入紙無し」から「挿入紙有り」へ変化したときに、ＵＩ３１７に挿入紙サイズ設定画面１７０１を表示せずに第二のトレイ２０９の挿入紙サイズを第一のトレイ２０８の挿入紙サイズへ更新することができる。第二のトレイ２０９は、第一のトレイ（異なるトレイ）２０８の挿入紙サイズを引き継ぐことができる。これによって、ユーザに挿入紙サイズを再設定させること無くジョブを継続することができる。
【００６４】
第１実施形態によれば、自動給送切替が可能な場合に印刷ジョブの実行中にユーザが挿入紙をトレイに載置するたびに挿入紙情報の設定を要求されることがない。自動給送切替が可能な印刷ジョブの実行中には、必要なときのみ挿入紙情報の設定画面を表示することで、ユーザの手間を削減し、ユーザの設定ミスによる印刷ジョブの中断を防ぐことができる。ユーザが挿入紙情報を入力する負担を軽減することができる。
【実施例２】
【００６５】
〔第２実施形態〕
以下、第２実施形態を説明する。第２実施形態において、第１実施形態と同様の構造には同様の参照符号を付して説明を省略する。第２実施形態の印刷システム１００、ＭＦＰ１０２、インサータ２０７、後処理装置２１０及びデータ処理システム１１０は、第１実施形態と同様であるので説明を省略する。また、第２実施形態の印刷システム１００の制御動作、プリンタドライバ処理、プリンタ処理、ページ生成処理、印刷処理、通常ページ処理及び挿入紙ページ処理は、第１実施形態と同様であるので説明を省略する。第２実施形態の１回目の挿入紙処理、２回目以降の挿入紙処理及び挿入紙有無情報の設定は、第１実施形態と異なるので、以下、異なる点を主に説明する。
【００６６】
（１回目の挿入紙処理）
図２０を用いて、図１０のＳ１００３で実行される１回目の挿入紙処理について説明する。図２０は、第２実施形態における１回目の挿入紙処理を示す流れ図である。
Ｓ２００１で、制御部３１６は、１回目の挿入紙処理を開始する。Ｓ２００２で、制御部３１６は、記憶部３１５から挿入紙情報を読み出す。なお、ここでは、制御部３１６によって記憶部３１５から読み出された挿入紙情報が挿入紙給送部の指定のみを含み、挿入紙サイズ設定及び挿入紙タイプ設定を含んでいない場合を説明する。制御部３１６は、挿入紙給送部の指定を読み出し、指定された挿入紙給送部の挿入紙有無情報に「挿入紙有り」が設定されているか否かを判断する。ここでは、挿入紙給送部として第一のトレイ２０８が指定されている場合を説明する。第一のトレイ２０８の挿入紙有無情報に「挿入紙有り」が設定されていると判断された場合（Ｓ２００２でＹＥＳ）、制御部３１６は、処理をＳ２００６へ進める。第一のトレイ２０８の挿入紙有無情報に「挿入紙有り」が設定されていないと判断された場合（Ｓ２００２でＮＯ）、制御部３１６は、処理をＳ２００３へ進める。記憶部３１５への挿入紙有無情報の設定処理の詳細は、図２２を用いて後述する。
【００６７】
Ｓ２００３で、制御部３１６は、ＵＩ３１７に挿入紙無し警告画面１５０１を表示する。図１５に示すように、挿入紙無し警告画面１５０１には、「第一のトレイに挿入紙がありません。」という警告文１５０２が表示される。なお、挿入紙の給送部として第一のトレイ２０８以外の例えば第二のトレイ２０９などの他の挿入紙給送部が指定された場合も、指定された挿入紙給送部に挿入紙が無いと判断されたときに挿入紙無し警告画面１５０１に警告文が表示される。
【００６８】
Ｓ２００４で、制御部３１６は、第一のトレイ２０８に「挿入紙有り」が設定されているか否かを判断する。制御部３１６は、第一のトレイ２０８に「挿入紙有り」が設定されていないと判断した場合（Ｓ２００４でＮＯ）、処理をＳ２００４へ戻し、第一のトレイ２０８に「挿入紙有り」が設定されるまでＳ２００４の判断を繰り返す。制御部３１６は、第一のトレイ２０８に「挿入紙有り」が設定されていると判断した場合（Ｓ２００４でＹＥＳ）、処理をＳ２００５へ進める。
【００６９】
Ｓ２００５で、制御部３１６は、ＵＩ３１７に表示されている挿入紙無し警告画面１５０１を非表示にし、挿入紙無し警告を解除する。Ｓ２００６で、制御部３１６は、挿入紙を現在給送する給送部（以下、カレント給送部という）を第一のトレイ２０８に設定し、カレント給送部情報を記憶部３１５に保存する。なお、カレント給送部情報は、この時点で初めて設定される。
【００７０】
Ｓ２００７で、制御部３１６は、本ジョブにおいて自動給送切替（ＡＣＣ）が可能であるか否かを判断する。制御部３１６は、印刷ジョブによって指定された第一のトレイ２０８に挿入紙が積載されていない場合に挿入紙が積載された第二のトレイ２０９から挿入紙を給送する自動給送切替を行うことが可能か否かを判断する判断手段として機能する。本実施例では、印刷設定画面１６０１の挿入紙給送部設定欄１６０７で一つのトレイが選択され且つ第一のトレイ２０８の挿入紙サイズ及び挿入紙タイプが第二のトレイ２０９の挿入紙サイズ及び挿入紙タイプと同じ場合に自動給送切替が可能であると判断される。たとえば、第一のトレイ２０８と第二のトレイ２０９の挿入紙サイズ及び挿入紙タイプが同じであっても、表紙を第一のトレイ２０８から、裏表紙を第二のトレイ２０９から挿入する設定がされている場合は、印刷設定画面１６０１で二つのトレイが選択されている。印刷ジョブによって二つ以上のトレイが指定されている場合、制御部３１６は、自動給送切替が可能でないと判断する。なお、挿入紙給送部としてのトレイの選択方法は、図１６を用いて説明した第１実施形態と同様であるので説明を省略する。また、挿入紙サイズ及び挿入紙タイプの設定方法は、図１７乃至図１９を用いて説明した第１実施形態と同様であるので説明を省略する。
【００７１】
制御部３１６は、一つのトレイが選択され且つ第一のトレイ２０８の挿入紙サイズ及び挿入紙タイプが第二のトレイ２０９の挿入紙サイズ及び挿入紙タイプと同じであると判断した場合（Ｓ２００７でＹＥＳ）、処理をＳ２００８へ進める。Ｓ２００８で、制御部３１６は、記憶部３１５に保存されている自動給送切替許可情報（以下、ＡＣＣ許可情報という）を自動給送切替許可（以下、ＡＣＣ許可という）へ更新し、処理をＳ２０１０へ進める。一方、制御部３１６は、複数のトレイが選択され及び／又は第一のトレイ２０８の挿入紙サイズ及び挿入紙タイプが第二のトレイ２０９の挿入紙サイズ及び挿入紙タイプと異なると判断した場合（Ｓ２００７でＮＯ）、処理をＳ２００９へ進める。Ｓ２００９で、制御部３１６は、記憶部３１５に保存されているＡＣＣ許可情報を自動給送切替禁止（以下、ＡＣＣ禁止という）へ更新し、処理をＳ２０１０へ進める。Ｓ２０１０で、制御部３１６は、カレント給送部としての第一のトレイ２０８から挿入紙を給送する。Ｓ２０１１で、制御部３１６は、１回目の挿入紙処理を終了する。
【００７２】
（２回目以降の挿入紙処理）
次に、図２１を用いて、図１０のＳ１００４で実行される２回目以降の挿入紙処理について説明する。図２１は、第２実施形態における２回目以降の挿入紙処理を示す流れ図である。Ｓ２１０１で、制御部３１６は、２回目以降の挿入紙処理を開始する。Ｓ２１０２で、制御部３１６は、記憶部３１５に保存されているＡＣＣ許可情報がＡＣＣ許可に設定されているか否かを判断する。制御部３１６は、ＡＣＣ許可情報がＡＣＣ許可に設定されていると判断した場合（Ｓ２１０２でＹＥＳ）、処理をＳ２１０３へ進める。制御部３１６は、ＡＣＣ許可情報がＡＣＣ禁止に設定されていると判断した場合（Ｓ２１０２でＮＯ）、処理をＳ２１１３へ進める。
【００７３】
Ｓ２１０３で、制御部３１６は、記憶部３１５からカレント給送部情報を読み出す。Ｓ２１０４で、制御部３１６は、カレント給送部情報からカレント給送部（ここでは、第一のトレイ２０８）を読み出し、カレント給送部に「挿入紙有り」が設定されているか否かを判断する。制御部３１６は、カレント給送部に「挿入紙無し」が設定されていると判断した場合（Ｓ２１０４でＮＯ）、処理をＳ２１０５へ進める。制御部３１６は、カレント給送部に「挿入紙有り」が設定されていると判断した場合（Ｓ２１０４でＹＥＳ）、処理をＳ２１１０へ進める。
【００７４】
Ｓ２１０５で、制御部３１６は、自動給送切替可能な給送部が存在するか否かを判断する。ここで、自動給送切替可能な給送部が存在するか否かは、カレント給送部以外の他の給送部に「挿入紙有り」が設定されているか否かに基づいて制御部３１６によって判断される。すでにＳ２１０２でＡＣＣ許可情報がＡＣＣ許可に設定されていると判断されているので、ここでは、制御部３１６は、他の給送部に「挿入紙有り」が設定されているか否かのみを判断する。制御部３１６は、自動給送切替可能な給送部が存在すると判断した場合（Ｓ２１０５でＹＥＳ）、処理をＳ２１０９へ進める。制御部３１６は、自動給送切替可能な給送部が存在していないと判断した場合（Ｓ２１０５でＮＯ）、処理をＳ２１０６へ進める。
【００７５】
Ｓ２１０６で、制御部３１６は、ＵＩ３１７に挿入紙無し警告画面１５０１を表示する。Ｓ２１０７で、制御部３１６は、カレント給送部に「挿入紙有り」が設定されているか否かを判断する。制御部３１６は、カレント給送部に「挿入紙無し」が設定されている即ちカレント給送部に「挿入紙有り」が設定されていないと判断した場合（Ｓ２１０７でＮＯ）、処理をＳ２１０７へ戻す。制御部３１６は、カレント給送部に「挿入紙有り」が設定されるまでＳ２１０７の判断を繰り返す。制御部３１６は、カレント給送部に「挿入紙有り」が設定されたと判断した場合（Ｓ２１０７でＹＥＳ）、処理をＳ２１０８へ進める。
【００７６】
Ｓ２１０８で、制御部３１６は、ＵＩ３１７に表示されている挿入紙無し警告画面１５０１を非表示にし、挿入紙無し警告を解除する。Ｓ２１０９で、制御部３１６は、カレント給送部を、自動給送切替可能な給送部へ変更する。カレント給送部の変更は、自動給送切替によって行われる。制御部３１６は、変更後のカレント給送部のカレント給送部情報を記憶部３１５に保存する。
【００７７】
Ｓ２１１０で、制御部３１６は、本ジョブにおいて自動給送切替（ＡＣＣ）が可能であるか否かを判断する。本実施例では、印刷設定画面１６０１の挿入紙給送部設定欄１６０７で一つのトレイが選択され且つ第一のトレイ２０８の挿入紙サイズ及び挿入紙タイプが第二のトレイ２０９の挿入紙サイズ及び挿入紙タイプと同じ場合に自動給送切替が可能であると判断される。制御部３１６は、一つのトレイが選択され且つ第一のトレイ２０８の挿入紙サイズ及び挿入紙タイプが第二のトレイ２０９の挿入紙サイズ及び挿入紙タイプと同じであると判断した場合（Ｓ２１１０でＹＥＳ）、処理をＳ２１１１へ進める。Ｓ２１１１で、制御部３１６は、記憶部３１５に保存されているＡＣＣ許可情報をＡＣＣ許可へ更新し、処理をＳ２１１７へ進める。一方、制御部３１６は、複数のトレイが選択され及び／又は第一のトレイ２０８の挿入紙サイズ及び挿入紙タイプが第二のトレイ２０９の挿入紙サイズ及び挿入紙タイプと異なると判断した場合（Ｓ２１１０でＮＯ）、処理をＳ２１１２へ進める。Ｓ２１１２で、制御部３１６は、記憶部３１５に保存されているＡＣＣ許可情報をＡＣＣ禁止へ更新する。これによって、ジョブの途中で異なる挿入紙が第二のトレイ２０９に載置された場合に第一のトレイ２０８から第二のトレイ２０９へ自動給送切替が行われることを防ぐことができる。制御部３１６は、処理をＳ２１１７へ進める。
【００７８】
Ｓ２１１３で、制御部３１６は、カレント給送部に「挿入紙有り」が設定されているか否かを判断する。制御部３１６は、カレント給送部に「挿入紙無し」が設定されている即ちカレント給送部に「挿入紙有り」が設定されてないと判断した場合（Ｓ２１１３でＮＯ）、処理をＳ２１１４へ進める。制御部３１６は、カレント給送部に「挿入紙有り」が設定されていると判断した場合（Ｓ２１１３でＹＥＳ）、処理をＳ２１１７へ進める。
【００７９】
Ｓ２１１４で、制御部３１６は、ＵＩ３１７に挿入紙無し警告画面１５０１を表示する。Ｓ２１１５で、制御部３１６は、カレント給送部に「挿入紙有り」が設定されているか否かを判断する。制御部３１６は、カレント給送部に「挿入紙無し」が設定されている即ちカレント給送部に「挿入紙有り」が設定されていないと判断した場合（Ｓ２１１５でＮＯ）、処理をＳ２１１５へ戻す。制御部３１６は、カレント給送部に「挿入紙有り」が設定されるまでＳ２１１５の判断を繰り返す。制御部３１６は、カレント給送部に「挿入紙有り」が設定されていると判断した場合（Ｓ２１１５でＹＥＳ）、処理をＳ２１１６へ進める。
【００８０】
Ｓ２１１６で、制御部３１６は、ＵＩ３１７に表示されている挿入紙無し警告画面１５０１を非表示にし、挿入紙無し警告を解除する。Ｓ２１１７で、制御部３１６は、カレント給送部から挿入紙を給送する。これによって、画像が形成された用紙の前又は後ろに挿入紙が挿入される。Ｓ２１１８で、制御部３１６は、２回目以降の挿入紙処理を終了する。
【００８１】
（挿入紙有無情報の設定）
次に、図２２を用いて、挿入紙給送部に挿入紙が有るか否かを示す挿入紙有無情報を設定する挿入紙有無設定処理を説明する。図２２は、第２実施形態における挿入紙有無設定処理を示す流れ図である。ここでは、第一のトレイ２０８の挿入紙有無設定処理を説明するが、第二のトレイ２０９についても同様に挿入紙有無設定処理が行われる。ＭＦＰ１０２の電源がＯＮされると（Ｓ２２０１）、制御部３１６は、挿入紙有無設定処理を開始する。挿入紙有無設定処理は、ＭＦＰ１０２の電源が入っている間は常に実行され、図８を用いて説明した印刷処理の実行中も並行して実行される。
【００８２】
Ｓ２２０２で、制御部３１６は、記憶部３１５に保存されている第一のトレイ２０８の挿入紙情報としての挿入紙サイズと挿入紙タイプをクリアし、挿入紙有無情報の設定を「挿入紙無し」へ更新する。Ｓ２２０３で、制御部３１６は、第一のトレイ２０８に挿入紙が載置されているか否かを判断する。第一のトレイ２０８に挿入紙が載置されているか否かは、第一のトレイ２０８に設けられた検知機構としての用紙センサ２１８の検知結果に基づいて制御部３１６によって判断される。制御部３１６は、第一のトレイ２０８に挿入紙が載置されていないと判断した場合（Ｓ２２０３でＮＯ）、第一のトレイ２０８に挿入紙が載置されるまでＳ２２０３の判断を繰り返す。制御部３１６は、第一のトレイ２０８に挿入紙が載置されていると判断した場合（Ｓ２２０３でＹＥＳ）、処理をＳ２２０４へ進める。
【００８３】
Ｓ２２０４で、制御部３１６は、ＭＦＰ１０２が印刷処理中であるか否かを判断する。印刷処理中の場合（Ｓ２２０４でＹＥＳ）、制御部３１６は、処理をＳ２２０５へ進める。印刷処理中でない場合（Ｓ２２０４でＮＯ）、制御部３１６は、処理をＳ２２１０へ進める。Ｓ２２０５で、制御部３１６は、ＡＣＣ許可情報が「ＡＣＣ許可」に設定されているか否かを判断する。制御部３１６は、ＡＣＣ許可情報が「ＡＣＣ許可」に設定されていると判断した場合（Ｓ２２０５でＹＥＳ）、処理をＳ２２０６へ進める。制御部３１６は、ＡＣＣ許可情報が「ＡＣＣ許可」に設定されてない即ちＡＣＣ許可情報が「ＡＣＣ禁止」に設定されていると判断した場合（Ｓ２２０５でＮＯ）、処理をＳ２２１０へ進める。
【００８４】
Ｓ２２０６で、制御部３１６は、記憶部３１５に保存されている第一のトレイ２０８の挿入紙サイズが第一のトレイ２０８に載置された挿入紙の挿入紙サイズと同じであるか否かを判断する。第一のトレイ２０８に載置された挿入紙の挿入紙サイズは、インサータ２０７に設けられた検知機構２２１を用いて制御部３１６によって検知される。保存されている挿入紙サイズと検知された挿入紙サイズが同じ場合（Ｓ２２０６でＹＥＳ）、制御部３１６は、処理をＳ２２０７へ進める。保存されている挿入紙サイズと検知された挿入紙サイズが異なる場合（Ｓ２２０６でＮＯ）、制御部３１６は、処理をＳ２２１０へ進める。
【００８５】
Ｓ２２０７で、制御部３１６は、記憶部３１５に設定されている挿入紙有無情報を「挿入紙有り」へ更新する。これにより、自動給送切替が可能なジョブの実行中に挿入紙と同じサイズの挿入紙が載置された場合に、ユーザに挿入紙サイズ及び挿入紙タイプを再設定させることなくジョブを継続することが可能になる。
【００８６】
Ｓ２２０８で、制御部３１６は、第一のトレイ２０８に挿入紙が載置されているか否かを判断する。挿入紙が載置されているか否かは、用紙センサ２１８の検知結果に基づいて制御部３１６によって判断される。制御部３１６は、第一のトレイ２０８に挿入紙が載置されていると判断した場合（Ｓ２２０８でＹＥＳ）、第一のトレイ２０８上の挿入紙がなくなるまでＳ２２０８の判断を繰り返す。制御部３１６は、第一のトレイ２０８に挿入紙が載置されていないと判断した場合（Ｓ２２０８でＮＯ）、処理をＳ２２０９へ進める。Ｓ２２０９で、制御部３１６は、記憶部３１５に設定されている第一のトレイ２０８の挿入紙有無情報を「挿入紙無し」へ更新し、処理をＳ２２０３へ戻す。
【００８７】
Ｓ２２１０で、制御部３１６は、記憶部３１５に保存されている第一のトレイ２０８の挿入紙情報としての挿入紙サイズと挿入紙タイプをクリアし、処理をＳ２２１１へ進める。Ｓ２２１１で、制御部３１６は、ＵＩ３１７に挿入紙サイズ設定画面１７０１を表示する。ユーザは、第一のトレイ２０８に載置された挿入紙の挿入紙情報を、ＵＩ３１７によって設定する。挿入紙情報の設定については、図１７、図１８及び図１９を用いて前述したので、説明を省略する。
【００８８】
第２実施形態によれば、例えば、指定された第一のトレイ２０８から挿入紙を給送する印刷ジョブの実行中に第一のトレイ２０８の挿入紙がなくなると、自動給送切替が可能な場合に第二のトレイ２０９から挿入紙が給送される。ユーザが第一のトレイ２０８上に挿入紙を載置すると第一のトレイ２０８の挿入紙有無情報が「挿入紙無し」から「挿入紙有り」へ変化する。第一のトレイ２０８の挿入紙有無情報が「挿入紙無し」から「挿入紙有り」へ変化したときに、ＵＩ３１７に挿入紙サイズ設定画面１７０１を表示せずに第一のトレイ２０８の挿入紙サイズを記憶部３１５に保存された挿入紙サイズへ更新することができる。第一のトレイ２０８は、記憶部３１５に保存された第一のトレイ（同じトレイ）２０８の挿入紙サイズを引き継ぐことができる。これによって、ユーザに挿入紙サイズを再設定させること無くジョブを継続することができる。
【００８９】
第２実施形態によれば、自動給送切替が可能な場合に印刷ジョブの実行中にユーザが挿入紙をトレイに載置するたびに挿入紙情報の設定を要求されることがない。自動給送切替が可能な印刷ジョブの実行中には、必要なときのみ挿入紙情報の設定画面を表示することで、ユーザの手間を削減し、ユーザの設定ミスによる印刷ジョブの中断を防ぐことができる。ユーザが挿入紙情報を入力する負担を軽減することができる。
【符号の説明】
【００９０】
１０２・・・ＭＦＰ（画像形成装置）
２０１・・・本体（画像形成部）
２０８・・・第一のトレイ
２０９・・・第二のトレイ
３１６・・・制御部
３１７・・・ＵＩ（表示手段）
【図１】
2020146872.tif 000003
【図２】
2020146872.tif 000004
【図３】
2020146872.tif 000005
【図４】
2020146872.tif 000006
【図５】
2020146872.tif 000007
【図６】
2020146872.tif 000008
【図７】
2020146872.tif 000009
【図８】
2020146872.tif 000010
【図９】
2020146872.tif 000011
【図１０】
2020146872.tif 000012
【図１１】
2020146872.tif 000013
【図１２】
2020146872.tif 000014
【図１３】
2020146872.tif 000015
【図１４】
2020146872.tif 000016
【図１５】
2020146872.tif 000017
【図１６】
2020146872.tif 000018
【図１７】
2020146872.tif 000019
【図１８】
2020146872.tif 000020
【図１９】
2020146872.tif 000021
【図２０】
2020146872.tif 000022
【図２１】
2020146872.tif 000023
【図２２】
2020146872.tif 000024